(57)【要約】【課題】  従来の１台のカメラを備え付け、２度撮影し画像ペアを得るステレオスライド装置では、輻輳動作できず、近距離において視差が影響し、立体像の得られる範囲が有効に得られない場合や、被写体像が衝立のように見える不自然な現象が発生した。輻輳動作出来ても大掛かりなものとなり、可搬性に問題がある。【解決の手段】  同形状の円弧カムを有した板カム２枚の間に、視間距離と同じ間隔にフォロワーを植設した揺動板を設け、さらにその揺動板上にカメラ台を配置しカメラを備え付ける。カメラを視間距離分動かすことにより、カムとフォロワーの係合関係より生じる揺動板の回転運動を利用し、その両端で自動的に撮影距離に見合った輻輳角を形成する機能を持たせた。【選択図】図２
2008107748.tif 000002
【特許請求の範囲】
【請求項１】
同形状の円弧カムを有した板カム２枚の間に、視間距離と同じ間隔にフォロワーを植設した揺動板を設け、カメラを視間距離分動かすことにより、カムとフォロワーの係合関係より生じる揺動板の回転運動を利用し、その両端で自動的に輻輳角を形成する機能を持たせたステレオスライド装置。
【発明の詳細な説明】
【技術分野】
【０００１】  本発明は１台のカメラを横ずらしし、２度の撮影により立体写真に必要な画像ペアを得るためのステレオスライド装置において撮影距離に応じた輻輳角を容易に作り出すことができるようにした機能を付加した機材に関する。
【背景技術】
【０００２】  ２度の撮影により立体写真に必要な画像ペアを得る為の補助装置としてステレオスライドなるものがある。簡単なものは単純に平行移動させるものから、アクチュエータを搭載し電気的にカメラ位置と回転角を制御し、輻輳角を作り出すものもあるが大掛かりな装置となっている。
【発明の開示】
【発明が解決しようとする課題】
【０００３】  以上に述べた従来の一般のステレオスライドでは、単にカメラを平行移動するために、近距離において視差が影響し、立体像の得られる範囲が有効に得られない場合や、被写体像が衝立のように見える不自然な現象が発生した。これを解決すべく輻輳角を設定できるようにしたものもあるが、大掛かりで容易に持ち運びできるものではなかった。【０００４】  本発明は、自然な立体画像を得るべく、生物的な目の動きのひとつである輻輳機能を取り入れ、且つ容易に輻輳角を設定できる持ち運び容易なステレオスライド装置を実現することを目的とするものである。
【課題を解決するための手段】
【０００５】  そして、本発明は上記目的を達成する為に被写体に向かう方向と直角方向に同じ円弧軌跡を部分的に切り取ったカムが配置された２枚のカム板を設け、その間に、それぞれに係合するフォロワーを植設した揺動板を配置し、この２枚のカム板にステレオスライド装置中央に対し相反する横ずらし量を加えることにより、その揺動板はその横方向の動きに伴い、ふたつのカム軌跡に沿い、ステレオスライド装置中央に対し、揺動板は左右対称の首振り運動を生じる。この作用を利用し、スライドの両端位置ではそれぞれ撮影距離に見合った輻輳角の半角分を設定出来るようにしたものである。スライドの両端２点での撮影で、撮影距離に見合った輻輳角が加わった画像が得られることになる。円弧上カム軌跡が揺動板に植設されたふたつのフォロワーの間隔分ずれたときは、揺動板の動きは平行を保ち輻輳角は０°で光軸が平行となる。円弧状のカム軌跡が重なり合ったときは、円弧カムの半径を被写体距離とした場合の輻輳角が得られる。カメラはカメラ台の上に設置されるが、そのカメラ台は揺動板に直接に固設されており、揺動板の動きがそのままカメラの動きとなる。【０００６】円弧状のカムは、円弧以外でも原点でＹ軸に対し対称な放物線、楕円さらには高次曲線の一部を利用しても良いが、カム板の横ずらし量に伴う輻輳角の変化具合や加工性あるいは摺動抵抗等によって選択すべきものである。【０００７】以上の作用を利用し、大掛かりな仕掛けを用いることもなく、携帯性を損なうことのない精度の高い輻輳角形成機能を有したステレオスライド装置ができる。
【発明の効果】上述したように本発明の撮影装置は立体写真を撮るためのスライド装置であるが、ふたつの円弧状カム軌跡のずれと揺動板の横の動きが組み合わさり生ずる揺動板の振る舞いを利用した単純な構造のために、装置全体をコンパクトに出来ると共に、輻輳角設定も被写体距離に応じたカム板のズレを設定するのみであり、その設定が済めば撮影者は通常のスライド装置と同様に、２度目の撮影をする前にカメラをスライドするのみで良く、２回の撮影間のインターバルを極力少なくすべく要求されるステレオ撮影の場合非常に有効である。
【発明の実施するための最良の形態】
【０００８】  以下、本発明の実施の形態を図１〜図１１に基づいて説明する。
【０００９】  図１〜図３における１は撮影装置全体を支えるベースである。ベース１の下面には三脚等に取り付けるために設けられた三脚ねじ穴がある。このベース１には、２枚のカム板２，３が隙間を設けた形で配置されており、またそれぞれのカム板２、３はベース１の長手方向に摺動出来るように摺動溝１ａ、１ｂが形成されている。カム板２、３には連動ピン４、５が下方に向け植設されており、反転レバー６に設けられた溝６ａ、６ｂと係合している。２つのカム板の摺動範囲で連動ピン５とカム板２とが干渉しないようにカム板２には窓２ｂが開けられている。反転レバー６は２つのカム板の動きを連結し、装置の中心軸を対称に一方のカム板の動きを、同量、１８０°反転した形で他方のカム板に伝える。カム板３にはカム板を操作する為のツマミ７が設けられている。カム板２、３の移動量はベースに対し想定した視間距離の半分の量であるが、カム板相互間では視間距離相当分動くことになる。
【００１０】カム板２、３にはカム溝２ａ、３ａが設けられており、カム形状は実施例では同半径の円弧の一部を用いているが、円弧を切り取る位置は、カム板２，３の移動量、後述する揺動板８の移動量さらに揺動板に植設されたガイドピンの距離を加味し、カム板２とカム板３では異なる。またカム形状はＹ軸に対し線対称で、Ｘ＝０で最小値をとる曲線を用いても良い。
【００１１】２つのカム板２、３の間には、揺動板８が配置され、その上下面にカム溝２ａ、３ａに係合するガイドピン８ａ、８ｂが視間距離相当の距離離れた状態で植設されている。さらにこの揺動板８には柱９が植設され、柱の上にはカメラを取り付けるためのカメラ台１０が固着されている。
図４、図６、図８、図１０は実施形態のカム板２，３と揺動板８の動きを説明するもので、それぞれ重ね合わさった状態で示したものである。図５、図７、図９、図１１はそれぞれ上から下に配置した部材をその順番で分離しカム溝２ａ、３ａとガイドピン８ａ、８ｂの係合関係をより明確に表記したものである。また被写体は上側にある状態である。
【００１２】図４、図５、図６、図７はカム板２，３のそれぞれのカム溝２ａ、３ａの円弧状の軌跡が一つに重なった状態である。図４、図５はカメラがスライド域の左端にある状況で、上記構造により揺動板８はカム溝に沿い、そのカメラの光軸は円弧の中心に向かった状態で回転する。この円弧の半径がこの装置の輻輳可能な最短撮影距離に、カメラのスライド幅が視間距離に相当する為、この図４、図５は最短撮影距離にある物体を左目で見た状態に相当する。図６、図７はカメラがスライド域の右端にある状況で、上記同様で、最短撮影距離にある物体を右目で見た状態に相当する。
図８、図９、図１０、図１１は２つのカム溝２ａ、３ａが視間距離分離れた状態を示す。図８、図９はカメラがスライド域の左端に、図１０、図１１は右端にいる状況である。
上述の通り、揺動板８に植設されたカム溝２ａ、３ａに係合するガイドピン８ａ、８ｂは同じ視間距離分離れているため、左端と右端に移動する間は、カメラは光軸を平行に保ちながら移動する。この場合、輻輳角を持たず、無限物体を見ている状態に相当する。この場合カメラは左端から右端の間では、カメラは光軸に沿って前後運動を生じる。カム溝２ａ，３ｂの軌跡が合致しない限り、この前後運動は生じるが、撮影距離に対し、無視できる量であり、スライド域の両端でない状況で万一撮影しても被写界深度内に収まりピント外れを生ずることはない。
【００１３】カム板３やベース１の上部を閉ざすカバー１１には、揺動板８の振舞いに対し、植設された柱が干渉しないように実施例では窓３ｂ、１１ａが設けられている。但し、カバー１１の干渉防止窓の一部は、揺動板の移動幅を規制するため、柱を当て止めるためのストッパー１１ｂとしての役目を果たす。
【００１４】カメラ台１０は２層構造となっており、下基板１２、上基板１３、それを繋ぐ基板柱１４で構成される。上基板１３にはカメラを固着させる為のねじ１５が配置されているが、ベース長手方向に移動できるように上基板１３には移動溝１３ａが設けられている。これは揺動板あるいはカメラ台の揺動に伴う回転中心とカメラのレンズの光軸中心とを合致させるためである。市販のカメラには底部に設けられた三脚穴とレンズ光軸とが合致しないものが存在するためである。
【００１５】以上のような構造で、カメラ台１０に光軸を合わせた状態で取り付けられたカメラをベース１の長手方向にスライドさせると、上述した揺動板８の動きに伴い、カメラは回転運動し、スライドの移動域両端で、撮影距離に見合った輻輳角を加味した状態での撮影が可能となる。図示していないがカバー１１には撮影距離の目盛りが刻まれており、カム板３に固設されたツマミ７の指標を合わせることにより、撮影距離に見合った輻輳角が得られるようになっている。
【００１６】本発明の原理とは、直接関係しないが、本装置はカム板２，３をベース１に対し所定の位置で固定する固定手段とカメラのスライドを所定の位置で固定する為の固定手段を有する。
【図面の簡単な説明】
【００１７】
【図１】  本発明の実施形態を示すステレオスライド装置の上面外観図。
【図２】  （図１）よりカバー１１より上の部分を取り除いた図
【図３】  本発明の実施形態を示すステレオスライド装置の側面外観図。
【図４】  作動説明図。
【図５】  作動説明図
【図６】  作動説明図
【図７】  作動説明図
【図８】  作動説明図
【図９】  作動説明図
【図１０】  作動説明図
【図１１】  作動説明図
【符号の説明】
【００１８】  １            ベース
１ａ、１ｂ    摺動溝
２            カム板（下）
３            カム板（上）
２ａ、３ａ    カム溝
２ｂ          窓
３ｂ          窓
４、５        連動ピン
６            反転レバー
６ａ、６ｂ    反転レバーの連動ピンと係合する溝
７            カム板の操作ツマミ
８            揺動板
９            柱
１０            カメラ台
１１            カバー
１１ａ          窓
１１ｂ          ストッパー
１２            下基板
１３            上基板
１３ａ          移動溝
１４            基板柱
１５            カメラ固定ねじ
【図１】
2008107748.tif 000003
【図２】
2008107748.tif 000004
【図３】
2008107748.tif 000005
【図４】
2008107748.tif 000006
【図５】
2008107748.tif 000007
【図６】
2008107748.tif 000008
【図７】
2008107748.tif 000009
【図８】
2008107748.tif 000010
【図９】
2008107748.tif 000011
【図１０】
2008107748.tif 000012
【図１１】
2008107748.tif 000013